(57)【要約】【課題】調理容器やボトル類の収納場所を確保しつつ、ビルトイン電子レンジをキャビネットに設置すること。【解決手段】ドア５の下方に第一収納庫６と、操作部２の下方に第二収納庫７とを備え、操作部２はドア５の横に配置し、かつ操作部２の高さ寸法をドア５の高さ寸法より小さくして、第二収納庫７の高さを第一収納庫６の高さより高くすることにより、ビルトイン電子レンジ１で使用するケーキ型やオーブン皿、オーブン鍋などの調理容器は第一収納庫６に保管できるので、ケーキやクッキー、またはオーブン煮込み料理など、あたため再加熱機能以外の豊富な機能を使いやすくすることができるとともに、調味料や飲料などの背の高いボトル類を第二収納庫７に収納できるので、調理容器やボトル類の収納場所を確保しつつビルトイン電子レンジ１を設置することができる。【選択図】図１
2010266164.tif 000002
【特許請求の範囲】
【請求項１】
キャビネット内に配置されるビルトイン電子レンジにおいて、
被加熱物を収容する加熱室と、前記加熱室の前面に形成された開口に開閉自在に設けたドアと、前記加熱室内に高周波を供給する高周波発生部と、装置の制御をする制御基板を内包した制御部と、前記高周波発生部や制御部を冷却する送風部と、調理時間や温度を設定するための操作部と、前記ドアの下方に第一収納庫と、前記操作部の下方に第二収納庫とを備え、
前記操作部は前記ドアの横に配置し、かつ操作部の高さ寸法を前記ドアの高さ寸法より小さくして、前記第二収納庫の高さを前記第一収納庫の高さより高くしたビルトイン電子レンジ。
【請求項２】
制御部と高周波発生部と送風部は、操作部の後方に配置された請求項１に記載のビルトイン電子レンジ。
【請求項３】
第一収納庫と第二収納庫とを一体に構成した請求項１または２に記載のビルトイン電子レンジ。
【発明の詳細な説明】
【技術分野】
【０００１】
本発明は、電磁調理器、ガスコンロ、食器洗浄乾燥機、電子レンジのような、単独の機器として、あるいは組合せ機器としてキッチンキャビネット内に組み込まれるビルトイン電子レンジに関するものである。
【背景技術】
【０００２】
従来、この種のビルトイン電子レンジは、電磁調理器またはガスコンロの下方に組み込み配置されている（例えば、特許文献１参照）。
【０００３】
図５は、特許文献１に記載された従来のビルトイン電子レンジを示すものである。図５に示すように、電磁調理器６１と、電子レンジ６２と、支持台６３とが組合されたビルトインタイプの従来装置６０であり、電磁調理器６１は加熱コイル部６１ａとグリル部６１ｂとから構成され、ビルトイン電子レンジは、制御部６２Ｃと、ドア６２ｂを備えている。
【先行技術文献】
【特許文献】
【０００４】
【特許文献１】特開２００５−００３３１６号公報
【発明の概要】
【発明が解決しようとする課題】
【０００５】
しかしながら、前記従来の構成では、キャビネット内でのビルトイン電子レンジの占有する空間が大きいので、ケーキ型やオーブン皿、オーブン鍋などの調理容器を収納する場所がとれない。そのため、ビルトイン電子レンジで使用する調理容器を身近に保管できず調理する上で不便な為に、身近にない調理容器を使用する調理そのものをしなくなり、結局、ビルトイン電子レンジは、その持てる機能のうちあたため再加熱の機能しか使用せず、オーブン機能などは使用しなくなるといった課題を有していた。
【０００６】
また、調味料や飲料など背の高いボトル類の収納場所がなくなるので、ビルトイン電子レンジの設置を諦めざるを得なくなるといった課題も有していた。
【０００７】
本発明は、前記従来の課題を解決するもので、調理容器を身近に保管でき、あたため再加熱機能以外の多様な機能を使いやすくするとともに、調味料や飲料など背の高いボトル類の収納場所を確保できて使い勝手の良い台所環境を創出するビルトイン電子レンジを提供することを目的とする。
【課題を解決するための手段】
【０００８】
前記従来の課題を解決するために、本発明のビルトイン電子レンジは、ドアの下方に第一収納庫と、操作部の下方に第二収納庫とを備え、操作部はドアの横に配置して、かつ操作部の高さ寸法をドアの高さ寸法より小さくして、第二収納庫の高さを第一収納庫の高さより高くしたものである。
【０００９】
これによって、ビルトイン電子レンジで使用する調理容器は身近な第一収納庫に保管できるので、ケーキやクッキー、またはオーブン煮込み料理など、あたため再加熱機能以外のビルトイン電子レンジの有する機能を容易に使いこなせるようになるとともに、調味料や飲料などの背の高いボトル類を第二収納庫に収納できるので、収納場所が無くなるためにビルトイン電子レンジの設置を諦めざるを得なくなるといった課題も解決する。
【００１０】
また、本発明のビルトイン電子レンジは、制御部と高周波発生部と送風部を操作部の後方に配置したものである。
【００１１】
これによって、ドアの後方空間を加熱室の占有場所とすることができるので、加熱室を大きくできて、大きな食品や大量の食品を一度に加熱調理できるので利便性が向上する。
【発明の効果】
【００１２】
本発明のビルトイン電子レンジは、電子レンジで使用する調理容器を第一収納庫に保管できるとともに、調味料や飲料など背の高いボトル類を第二収納庫に収納できるので、ケーキやクッキー、またはオーブン煮込み料理など、あたため再加熱機能以外のビルトイン電子レンジの有する機能を使いやすくするとともに、ボトル類の収納場所が無くなるためにビルトイン電子レンジの設置を諦めざるを得なくなるといった課題も解決する。
【図面の簡単な説明】
【００１３】
【図１】本発明の実施の形態１におけるビルトイン電子レンジの斜視図
【図２】本発明の実施の形態１におけるビルトイン電子レンジの斜視図
【図３】本発明の実施の形態２におけるビルトイン電子レンジの斜視図
【図４】本発明の実施の形態３におけるビルトイン電子レンジの斜視図
【図５】従来のビルトイン電子レンジの斜視図
【発明を実施するための形態】
【００１４】
第１の発明は、被加熱物を収容する加熱室と、加熱室の前面に形成した開口に開閉自在に設けたドアと、加熱室内に高周波を供給する高周波発生部と、装置の制御をする制御基板を内包した制御部と、高周波発生部や制御部を冷却する送風部と、調理時間や温度を設定するための操作部と、ドアの下方に第一収納庫と、操作部の下方に第二収納庫とを備え、操作部は前記ドアの横に配置し、かつ操作部の高さ寸法をドアの高さ寸法より小さくして、第二収納庫の高さを第一収納庫の高さより高くしたことにより、ビルトイン電子レンジで使用する調理容器を第一収納庫に保管できて、ケーキやクッキー、またはオーブン煮込み料理など、あたため再加熱機能以外のビルトイン電子レンジの有する機能を使いやすくすることができるとともに、調味料や飲料などの背の高いボトル類を第二収納庫に収納できるので、背の高いボトル類の収納場所を確保するためにビルトイン電子レンジの設置を諦めざるを得なくなるといった課題も解決する。
【００１５】
第２の発明は、特に、第１の発明の制御部と高周波発生部と送風部を操作部の後方に配置することにより、ドアの後方空間を加熱室の占有場所とすることができるので、加熱室を大きくできる。その結果、より大きな食品や大量の食品を一度に加熱調理することができるといった利便性が向上する。
【００１６】
第３の発明は、特に、第１の発明の第一収納庫スペースと第二収納庫スペースとを連結して一体に構成することにより、収納庫の底面積を大きくすることができるので、大きい鍋や大皿などの収納面積の大きな容器や背の高いボトル類の収納を自由に選択できて、さらに利便性が向上する。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるビルトイン電子レンジの斜視図を示すものである。
【００１９】
図１において、本発明に係るビルトイン電子レンジ１は、被加熱物を収容する加熱室（図示せず）と、この加熱室の前面に形成した開口に開閉自在に設けたドア５と、調理時間や温度を設定するための操作部２と、ドア５の下方に第一収納庫６と、操作部２の下方に第二収納庫７とを備え、操作部２はドア５の横に配置し、かつ高さ寸法をドア５の高さ寸法より小さくして、第二収納庫７の高さを第一収納庫６の高さより高くしてある。
【００２０】
図２は、本発明の第１の実施の形態におけるビルトイン電子レンジの第二収納庫７を引き出した斜視図を示すものである。
【００２１】
以上のように構成されたビルトイン電子レンジについて、以下その動作、作用を説明する。
【００２２】
まず、ビルトイン電子レンジで使用するケーキ型やオーブン皿、オーブン鍋などの調理容器は第一収納庫６に保管できて、調味料や飲料などの背の高いボトル類は第一収納庫６よりも高さの高い第二収納庫７に収納できる。
【００２３】
以上のように、本実施の形態においては、ドア５の下方に第一収納庫６と、操作部２の下方に第二収納庫７とを備え、操作部２はドア５の横に配置し、かつ高さ寸法をドア５の高さ寸法より小さくして、第二収納庫７の高さを第一収納庫６の高さより高くすることにより、ビルトイン電子レンジで使用するケーキ型やオーブン皿、オーブン鍋などの調理容器は第一収納庫６に保管できるので、ケーキやクッキー、またはオーブン煮込み料理など、あたため再加熱機能以外の豊富な機能を使い易くすることができる。しかも、操作部２の下方空間を有効に利用して、調味料や飲料などの背の高いボトル類を第二収納庫７に収納できるようになり、ボトル類の収納場所を確保することができないために、ビルトイン電子レンジの設置を諦めざるを得なくなるといった課題も解決できる。
【００２４】
そして、第一収納庫６と第二収納庫７とは、発熱する可能性のある操作部２、加熱室５の下方に配置しているので、高熱による変形、変質の恐れがない。
【００２５】
（実施の形態２）
図３は、本発明の第２の実施の形態におけるビルトイン電子レンジの斜視図である。
【００２６】
図３において、加熱室（図示せず）内に高周波を供給する高周波発生部１０と、装置の制御をする制御基板を内包した制御部９と、高周波発生部１０や制御部９を冷却する送風部１１を、操作部２の後方に配置している。
【００２７】
以上のように構成されたビルトイン電子レンジについて、以下その動作、作用を説明する。
【００２８】
まず、高周波発生部１０と、制御部９と、送風部１１を、操作部２の後方に配置することにより、ドア５の後方にはいわゆる電子レンジの機能部品を配置する必要がなくなるので、ドア５の後方空間は加熱室の占有場所とすることができる。
【００２９】
以上のように、本実施の形態においては、高周波発生部１０と、制御部９と、送風部１１を、操作部２の後方に配置することにより、ドア５の後方空間を加熱室の占有場所とすることができるので、加熱室を大きくできる。その結果、より大きな食品や大量の食品を一度に加熱調理することができるといった利便性が向上する。
【００３０】
（実施の形態３）
図４は、本発明の第３の実施の形態におけるビルトイン電子レンジの斜視図である。
【００３１】
図４において、連結収納庫４は図１における、第一収納庫６と第二収納庫７をその扉部と収納部とを連結し一体化したものであり、床面積の広い収納庫を構成している。
【００３２】
以上のように構成されたビルトイン電子レンジについて、以下その動作、作用を説明する。
【００３３】
まず、連結収納庫４は、第一収納庫６と第二収納庫７とをその扉部と収納部を連結したものであり、床面積が広いので、大きい鍋や大皿などの収納面積の大きな容器を収納することもできるし、背の高いボトル類を収納することもできる。
【００３４】
以上のように、本実施の形態においては、第一収納庫６と第二収納庫７とをその扉部と収納部を連結することにより、収納庫の床面積が広くなるので、大きい鍋や大皿などの収納面積の大きな容器を収納することもできるし、背の高いボトル類を収納することも自由に選択できるので、さらに利便性が向上する。
【産業上の利用可能性】
【００３５】
以上のように、本発明に係るビルトイン電子レンジは、ビルトイン電子レンジで使用するケーキ型やオーブン皿、オーブン鍋などの調理容器を第一収納庫に保管できるとともに、調味料や飲料などの背の高いボトル類を第二収納庫に収納することができるので、収納面での課題を解決した上でビルトイン電子レンジを設置することが可能となるので、食器洗い乾燥機や冷蔵庫、保温庫など、他の機器を設置する空間が確保されることが期待されるとともに、収納庫を必要とする厨房機器等の用途にも適用できる。
【符号の説明】
【００３６】
１  ビルトイン電子レンジ
２  操作部
３  調理容器
４  連結収納庫
５  ドア
６  第一収納庫
７  第二収納庫
９  制御部
１０  高周波発生部
１１  送風部
【図１】
2010266164.tif 000003
【図２】
2010266164.tif 000004
【図３】
2010266164.tif 000005
【図４】
2010266164.tif 000006
【図５】
2010266164.tif 000007